(57)【要約】  本発明は、バッテリーの電荷均等化装置に係り、さらに詳しくは、バッテリーセルの数に相当する複数の変圧器（Ｔ１〜ＴＮ）の１次巻線（Ｍ１１〜Ｍ１Ｎ）を並列に接続し、並列に接続された変圧器の１次巻線（Ｍ１１〜Ｍ１Ｎ）の電流流れを制御するスイッチ（Ｓ）を１次巻線の並列接続に直列に接続し、１次巻線に対応するそれぞれの２次巻線（Ｍ２１〜Ｍ２Ｎ）を各バッテリーセルに並列に接続し、複数のバッテリーセルを直列に接続した電荷均等化装置に関する。
2009540792.tif 000002
【特許請求の範囲】
【請求項１】
１次巻線と２次巻線がそれぞれ巻かれており、巻かれている前記１次巻線が並列に接続されており、巻かれている前記２次巻線がバッテリーに並列に接続されているＮ個の変圧器と、
前記Ｎ個の変圧器の前記２次巻線のそれぞれに直列に接続されているＮ個の第１電流伝達素子と、
Ｎ個が直列に接続されており、それぞれは前記Ｎ個の変圧器の２次巻線にそれぞれ並列に接続されており、Ｎ個の直列接続の一端が前記Ｎ個の１次巻線の並列接続の一端に接続されているＮ個のバッテリーセルと、
前記Ｎ個の変圧器の１次巻線の並列接続の一端に接続され、前記１次巻線の第１方向と第２方向の電流流れを制御する第１スイッチと、
前記Ｎ個のバッテリーセルの電圧をセンシングして前記第１スイッチをオン／オフする電圧センシングおよびスイッチドライブ信号発生部とを含んでなり、
前記第１スイッチがオンされると、前記第１巻線に第１方向に電流が流れて前記第２巻線に電流が誘導されることにより、前記Ｎ個のバッテリーセルに均等な電荷が分配されることを特徴とする、電荷均等化装置。
【請求項２】
前記Ｎ個の変圧器の前記１次巻線と前記第２次巻線はフライバックコンバータを構成することを特徴とする、請求項１に記載の電荷均等化装置。
【請求項３】
前記Ｎ個の変圧器のそれぞれの巻線比は同一であることを特徴とする、請求項１に記載の電荷均等化装置。
【請求項４】
前記第１スイッチは半導体スイッチング素子であることを特徴とする、請求項１に記載の電荷均等化装置。
【請求項５】
前記Ｎ個の変圧器は、前記１次巻線と前記２次巻線がフォワードコンバータの構造で結合されており、
前記Ｎ個の変圧器の前記２次巻線に並列に接続されており、陰極が前記第１電流伝達素子の陰極に接続されているＮ個の第２電流伝達素子をさらに含んでなることを特徴とする、請求項１に記載の電荷均等化装置。
【請求項６】
前記第１電流伝達素子の陰極と前記バッテリーセルとの間に接続されているＮ個のインダクタをさらに含んでなることを特徴とする、請求項５に記載の電荷均等化装置。
【請求項７】
前記Ｎ個の変圧器の前記第１次巻線と前記第２次巻線は、ハーフブリッジコンバータの構造で構成されていることを特徴とする、請求項１に記載の電荷均等化装置。  
【請求項８】
前記Ｎ個の変圧器の前記１次巻線は前記Ｎ個の変圧器のＮ個のコアそれぞれの一側にそれぞれ巻かれており、
前記Ｎ個の変圧器の前記２次巻線は前記Ｎ個の変圧器のＮ個のコアそれぞれの他側に前記バッテリーセルに並列に接続されるように巻かれている一対の２次巻線であり、
前記第１電流伝達素子は前記一対の２次巻線のそれぞれに直列に接続された一対の第１電流伝達素子であり、
前記第１スイッチは前記一対の２次巻線のそれぞれを制御するための一対の第１スイッチであることを特徴とする、請求項７に記載の電荷均等化装置。
【請求項９】
前記一対の第１スイッチは、一つが前記バッテリーセルと並列に接続された前記１次巻線の一側に接続されており、もう一つが前記並列に接続された前記１次巻線の他側に接続
されていることを特徴とする、請求項８に記載の電荷均等化装置。
【発明の詳細な説明】
【技術分野】
【０００１】
本発明は、バッテリーの電荷均等化装置に係り、さらに詳しくは、バッテリーセルの数に相当する複数の変圧器の１次巻線を並列に接続し、並列に接続された変圧器の１次巻線の電流流れを制御するスイッチを１次巻線の並列接続に直列に接続し、１次巻線に対応するそれぞれの２次巻線を各バッテリーセルに並列に接続し、複数のバッテリーセルを直列に接続した電荷均等化装置に関する。
【背景技術】
【０００２】
多数のシステムは、直列に接続される複数のそれぞれのバッテリーセルを含む、バッテリーパック（ｂａｔｔｅｒｙ  ｐａｃｋ）またはバッテリーアレイ（ｂａｔｔｅｒｙ  ａｒｒａｙ）からなるバッテリーを使用している。
【０００３】
この種のバッテリーセルは、定格充電範囲より著しく高く充電される場合、または定格充電範囲より低く放電される場合に危ない可能性がある。
【０００４】
このようなバッテリーセルの充電状態の不均衡は、様々な原因から発生し、製造中に、またはバッテリーを充放電する処理中に発生する。リチウムイオンセルの場合に、工場におけるセルの製造はバッテリーアレイのセル間の容量差を最小化するように厳密に制御される。ところが、セルの不平衡または不一致は、当初の工場における製造の後に一致していた状態と関係なく、様々な他の要因によって発生する。
【０００５】
セルの不平衡に影響を及ぼす要因には、例えばそれぞれのセルの化学反応、セルのインピーダンス、自己放電の速度、容量の減少、動作温度の変動、およびそれぞれのセル間の他の変動などが含まれる。
【０００６】
セルの温度の不一致は、セルの不一致の重要な要因である。例えば、バッテリーセルには「自己放電」があるが、これはバッテリー温度の関数である。高温のバッテリーが低温のバッテリーより典型的にさらに大きい自己放電率を示す。その結果、高温のバッテリーは低温のバッテリーより時間経過に伴って低い充電状態を示す。
【０００７】
バッテリーのセルの充電状態において、不均衡は深刻な問題である。これは電気車両において典型的に発生しうる問題であって、バッテリーのエネルギー供給能力は最も低い充電状態にあるバッテリーセルによって制限される。
【０００８】
もし直列接続バッテリー中の一つのバッテリーセルが完全に消耗すると、他のバッテリーセルはエネルギーの供給を続けることが可能な能力を失う。これは、バッテリーの他のバッテリーセルが未だ電力供給可能な能力を持っているとしても同様である。よって、バッテリーセルの充電状態の不均衡はバッテリーの電力供給能力を減少させる。
【０００９】
勿論、前述の説明は、一つまたはそれ以上のバッテリーセルが消耗した場合に全く異なるバッテリーセルによる電力供給が不可能であるという意味ではない。但し、直列接続の場合、一つまたはそれ以上のバッテリーセルが完全に放電してしまっても、残りのバッテリーセルに未だ電荷が残っていると、そのまま使用は続けることができるが、その場合には、放電済みのバッテリーセルに逆極性の電圧が発生し、その結果としてそのバッテリーセルが過熱し或いはガスが発生して爆発する危険性があるため、電力供給能力を失ってしまうという意味である。
【００１０】
これまでバッテリーセルの充電状態の不均衡を正す様々な方法が提案されており、それらの一つが図１に示されている。
【００１１】
図１は、従来の技術に係る直列接続バッテリーセルの中央集中型電荷均等化装置の構成図である。
【００１２】
図１を参照すると、従来の技術に係る直列接続バッテリーセルの中央集中型電荷均等化装置は、変圧器Ｔの共通コアがあり、共通コアに一つの１次巻線Ｍ１が巻かれており、共通コアに２次巻線Ｍ２１〜Ｍ２ＮはバッテリーセルＢ１〜ＢＮの数に相当する数だけ巻かれている。ここで、２次巻線Ｍ２１〜Ｍ２Ｎは、同一の巻線数を持っており、全て同じ極性の陰極を持っている。ここで、２次巻線Ｍ２１〜Ｍ２Ｎの極性が陰極であるというのは、当該巻線においてドット（ｄｏｔ）が下方にあるという意味である。
【００１３】
変圧器Ｔの共通コアに巻かれている１次巻線Ｍ１は一つだけであり、１次巻線Ｍ１にはスイッチＳＷが直列に接続されており、１次巻線Ｍ１の極性は２次巻線Ｍ２１〜Ｍ２Ｎの極性と反対である。
【００１４】
スイッチＳＷは、直列に接続された１次巻線Ｍ１に流れる電流をオン／オフさせる役割を担当し、電圧センシングおよびスイッチドライブ信号発生部１００から出力される制御信号に基づいてオン／オフ動作を行う。
【００１５】
変圧器Ｔの共通コアに巻かれている２次巻線Ｍ２１〜Ｍ２Ｎのそれぞれには整流ダイオードＤ１〜ＤＮが直列に接続されており、バッテリーセルＢ１〜ＢＮは並列に接続されている。
【００１６】
それぞれのバッテリーセルＢ１〜ＢＮには電圧センシングおよびスイッチドライブ信号発生部１００が接続されている。
【００１７】
電圧センシングおよびスイッチドライブ信号発生部１００は、接続されたそれぞれのバッテリーセルＢ１〜ＢＮの電圧をセンシングし、センシングされた電圧に応じてスイッチＳＷをオン／オフすることにより、直列接続されたバッテリーセルＢ１〜ＢＮの電圧を一定に制御する役割を果たす。
【００１８】
すなわち、電圧センシングおよびスイッチドライブ信号発生部１００は、それぞれのバッテリーセルＢ１〜ＢＮの電圧をセンシングし、特定のバッテリーセルＢ１〜ＢＮの電圧が、予め定めた電圧より高い場合にスイッチＳＷをオンさせ、直列接続バッテリーセルＢ１〜ＢＮから電荷が放電して変圧器Ｔで磁気エネルギーに変換されて貯えられ、スイッチＳＷがオフされると、磁気エネルギーがさらに電荷に変換されて２次巻線Ｍ２１〜Ｍ２Ｎと整流ダイオードＤ１〜ＤＮを介してそれぞれのバッテリーセルＢ１〜ＢＮに移動し、この際、高電圧のバッテリーセルＢ１〜ＢＮには少ない電荷が移動し、低電圧のバッテリーセルＢ１〜ＢＮには多くの電荷が移動することにより、電荷を均等にする。
【００１９】
このような従来の技術に係る中央集中型電荷均等化装置は、１つのスイッチによって電荷の流れを制御するという面では利点がある。ところが、前記従来の技術に係る中央集中型電荷均等化装置は、一つの共通コアにバッテリーセルの数だけの２次巻線が巻き付けられているため、２次巻線を一つの共通コアに巻き付けるに際して最適化させながら巻き付けることが難しいという問題点があった。
【００２０】
具体的に、従来の技術に係る中央集中型電荷均等化装置は、共通コアに巻かれるバッテリーセルの数に対応する２次巻線が同一の特性を示すように巻線されなければならない。
そのためには、バッテリーセルの数に対応する２次巻線のそれぞれが１次巻線との関係で同一の条件を満足させるように巻き付けられなければならないが、構造上、このように製作することが容易ではない。
【００２１】
また、バッテリーセルが多層に積層されたバッテリーパックまたはバッテリーアレイの応用分野が、移動性を必要とする装置に使用されると仮定する場合、それに付加される装置は、バッテリーパックまたはバッテリーアレイの体積を最小化するように支援しなければならないが、前述した従来の技術に係る中央集中型電荷均等化装置は、体積の大きい一つの共通コアを使用するため、集積化に難しさが存在する。
【発明の開示】
【発明が解決しようとする課題】
【００２２】
そこで、本発明は、かかる問題点を解決するために案出されたもので、その目的は、バッテリーセルの数に相当する数だけの変圧器を使用し、それぞれの変圧器に２次巻線を独立に巻き付けて均等化性能を維持しながら変圧器を製作することが容易な、多重変圧器の１次巻線を並列接続した電荷均等化装置を提供することにある。
【００２３】
また、本発明は、バッテリーセルの数に相当する数だけの変圧器を用いて空間配置の面で設計の柔軟性を持つことができるようにする、多重変圧器の１次巻線を並列接続した電荷均等化装置を提供することを目的とする。
【００２４】
また、本発明は、バッテリーセルの数に相当する数だけの変圧器を用いて２次巻線の特性が互いに異なる場合、これらに同一の特性を持たせるにおいて容易に対応することができるように多重変圧器の１次巻線を並列接続した電荷均等化装置を提供することを目的とする。
【課題を解決するための手段】
【００２５】
本発明のある観点によれば、１次巻線と２次巻線がそれぞれ巻かれており、巻かれている前記１次巻線が並列に接続されており、巻かれている前記２次巻線がそれぞれのバッテリーセルに並列に接続されているＮ個の変圧器と、前記Ｎ個の変圧器の前記２次巻線のそれぞれに直列に接続されているＮ個の第１電流伝達素子と、Ｎ個が直列に接続されており、それぞれは前記Ｎ個の変圧器の２次巻線にそれぞれ並列に接続されており、Ｎ個の直列接続の一端が前記Ｎ個の１次巻線の並列接続の一端に接続されているＮ個のバッテリーセルと、前記Ｎ個の変圧器の１次巻線の並列接続の一端に接続され、前記１次巻線の第１方向と第２方向の電流流れを制御する第１スイッチと、前記Ｎ個のバッテリーセルの電圧をセンシングして前記第１スイッチをオン／オフする電圧センシングおよびスイッチドライブ信号発生部とを含んでなり、前記第１スイッチがオンされると、前記第１巻線に第１方向に電流が流れて前記第２巻線に電流が誘導されることにより、前記Ｎ個のバッテリーセルに均等な電荷が分配されることを特徴とする。
【発明の効果】
【００２６】
中央集中型電荷均等化装置は、電荷均等化性能を維持し、且つ変圧器の製作が容易となるという利点を持つ。
【００２７】
すなわち、従来の技術に係る中央集中型電荷均等化装置は、体積の大きい、一つの共通コアにバッテリーセルの数だけの２次巻線を巻かなければならないため、バッテリーセルの数が増加するほど、実際に２次巻線を実現することが難しかったが、本発明によれば、体積の小さい、バッテリーセルの数に相当するだけ数の変圧器を使用し、それぞれの変圧器に２次巻線を独立に巻き付けることにより、中央集中型電荷均等化装置の電荷均等化性能を維持しながら変圧器の製作が容易になるという利点を持つ。
【００２８】
また、本発明によれば、バッテリーセルの数に相当する数だけの変圧器を用いて空間配置の面で設計の柔軟性を持つことができるようにするという効果がある。
【００２９】
また、本発明によれば、バッテリーセルの数に相当する数だけの変圧器を用いて、２次巻線の特性が相異なる場合、これらに同一特性を持たせるにおいて容易に対応することができるようにするという効果がある。
【発明を実施するための最良の形態】
【００３０】
図２は、本発明の一実施例に係る多重変圧器の１次巻線を並列接続した電荷均等化装置の構成図である。
【００３１】
図２を参照すると、多重変圧器の１次巻線を並列接続した電荷均等化装置は、バッテリーセルＢ１〜ＢＮに相当する数だけの変圧器Ｔ１〜ＴＮがあり、それぞれの変圧器Ｔ１〜ＴＮにはそれぞれコアがあり、それぞれのコアにはそれぞれの１次巻線Ｍ１１〜Ｍ１Ｎと２次巻線Ｍ２１〜Ｍ２Ｎが巻かれている。
【００３２】
すなわち、従来の技術の中央集中型電荷均等化装置の場合には、共通コアに一つの１次巻線が巻かれており、バッテリーセルＢ１〜ＢＮの数に相応する数だけの２次巻線が巻かれていたが、本願発明では、バッテリーセルＢ１〜ＢＮの数に対応する変圧器Ｔ１〜ＴＮを使用するため、バッテリーセルＢ１〜ＢＮの数に相当するだけのコアがあり、それぞれのコアにそれぞれ１次巻線Ｍ１１〜Ｍ１Ｎと２次巻線Ｍ２１〜Ｍ２Ｎが巻かれている。
【００３３】
１次巻線Ｍ１１〜Ｍ１Ｎは、互いに同一の巻線数Ｎ１を持つようにすることが好ましいが、応用に応じては相異なる巻線数を持つようにすることができる。そして、本願発明では、バッテリーセルＢ１〜ＢＮの数に相当する数だけの変圧器Ｔ１〜ＴＮを使用するため、コアが互いに分離されており、２次巻線Ｍ２１〜Ｍ２Ｎに関連して巻線比がさらに重要であり、全ての変圧器Ｔ１〜ＴＮが同一の巻線比（Ｎ１：Ｎ２）を持つことが好ましいが、応用に応じては相異なる巻線比を持つようにすることができる。ここで、巻線比は１次巻線の巻線数：２次巻線の巻線数の比を意味し、電圧および電流の量に関連しており、１次巻線の電圧と２次巻線の電圧は巻線数に比例し、１次巻線の電流と２次巻線の電流は巻線数に反比例する。
【００３４】
全ての変圧器Ｔ１〜ＴＮの１次巻線Ｍ１１〜Ｍ１Ｎの極性は２次巻線Ｍ２１〜Ｍ２Ｎの極性と反対である。これは、図面において変圧器Ｔ１〜ＴＮのドットが１次巻線Ｍ１１〜Ｍ１Ｎで上方にあれば、２次巻線Ｍ２１〜Ｍ２Ｎでは下方にあることを意味する。
【００３５】
一方、全ての変圧器Ｔ１〜ＴＮの１次巻線Ｍ１１〜Ｍ１Ｎは並列に接続されており、並列接続された全ての変圧器Ｔ１〜ＴＮの１次巻線Ｍ１１〜Ｍ１Ｎの一端にスイッチＳが直列に接続されている。
【００３６】
スイッチＳは、電圧センシングおよびスイッチドライブ信号発生部２００のスイッチ駆動回路部２３０から入力される制御信号に基づいてオン／オフ動作を行う。スイッチＳとしては、本体ダイオードを持っているＭＯＳＦＥＴスイッチが使用可能であり、その他にもダイオード、ＢＪＴスイッチ、リレースイッチなども使用可能である。
【００３７】
一方、２次巻線Ｍ２１〜Ｍ２Ｎは、好ましくは同一の巻線数Ｎ２を持つことができ、応用に応じて相異なる巻線数を持つことができる。
【００３８】
２次巻線Ｍ２１〜Ｍ２Ｎのそれぞれには整流ダイオードＤ１〜ＤＮが直列に接続されて
おり、バッテリーセルＢ１〜ＢＮは並列に接続されている。ここで、整流ダイオードＤ１〜ＤＮは２次巻線Ｍ２１〜Ｍ２Ｎ側でドットから電流が流出するときには電流の流れを遮断し、２次巻線Ｍ２１〜Ｍ２Ｎ側でドット方向に電流が流入するときには電流の流れを妨害しない。このような整流ダイオードＤ１〜ＤＮは、応用に応じてはＭＯＳＦＥＴスイッチ、ＢＪＴスイッチ、リレースイッチなどに取り換えることが可能である。バッテリーセルＢ１〜ＢＮは、一定の電圧で充電されており、電流が流出または充電され、電圧センシングおよびスイッチドライブ信号発生部２００が並列に接続されている。バッテリーセルＢ１〜ＢＮは直列に接続されており、直列接続された一端は変圧器Ｔ１〜ＴＮの１次巻線Ｍ１１〜Ｍ１Ｎと並列に接続されている。
【００３９】
一方、電圧センシングおよびスイッチドライブ信号発生部２００は、センシング部２１０、マイクロプロセッサ２２０およびスイッチ駆動回路２３０を含んでいる。
【００４０】
センシング部２１０は、それぞれのバッテリーセルＢ１〜ＢＮに並列接続され、それぞれのバッテリーセルＢ１〜ＢＮの電圧をセンシングし、センシングされた電圧を出力する。
【００４１】
マイクロプロセッサ２２０は、予め定められた方式によって、センシング部２１０から入力されたそれぞれのバッテリーセルＢ１〜ＢＮの電圧状態に基づいてスイッチＳのオン／オフ時間を決定する。
【００４２】
この際、マイクロプロセッサ２２０がスイッチＳのオン／オフ時間を決定する方式の一例として、バッテリーセルＢ１〜ＢＮのセンシング電圧の最大と最小を求めた後、その差が一定値以上になる場合、スイッチＳをオンさせることができる。
【００４３】
別の方式は、マイクロプロセッサ２２０がバッテリーセルＢ１〜ＢＮのセンシング電圧が基準値を超える場合にスイッチＳをオンさせることができる。
【００４４】
一方、スイッチ駆動回路部２３０は、マイクロプロセッサ２２０からオン信号が入力されると、それに応えてスイッチＳをオンさせるための駆動信号を生成して出力し、マイクロプロセッサ２２０からオフ信号が入力されると、それに応えてスイッチＳをオフさせるための駆動信号を生成して出力する。
【００４５】
この際、スイッチ駆動回路２３０が発生する駆動信号はＰＷＭ信号であってもよい。
【００４６】
次に、図２を参照して、本発明の好適な一実施例に係る電荷均等化装置の動作について説明する。
【００４７】
センシング部２１０は、それぞれのバッテリーセルＢ１〜ＢＮの電圧をセンシングし、センシングされた電圧をマイクロプロセッサ２２０に出力する。
【００４８】
マイクロプロセッサ２２０は、予め定められた方式によって、センシング部２１０から入力されたそれぞれのバッテリーセルＢ１〜ＢＮの電圧状態に基づいてスイッチＳのオンまたはオフを決定し、それによる駆動制御信号をスイッチ駆動回路部２３０へ出力する。
【００４９】
スイッチ駆動回路部２３０は、マイクロプロセッサ２２０からオン信号が入力されると、それに応えてスイッチＳをオンさせるための駆動信号を生成して出力し、マイクロプロセッサ２２０からオフ信号が入力されると、それに応えてスイッチＳをオフさせるための駆動信号を生成して出力する。
【００５０】
一方、スイッチＳがオンされると、全ての変圧器Ｔ１〜ＴＮの１次巻線Ｍ１１〜Ｍ１Ｎに電流が流れる。これにより、対応する２次巻線Ｍ２１〜Ｍ２Ｎに電圧が誘起されて陽の方向に、すなわち２次巻線Ｍ２１〜Ｍ２Ｎのドットから外部に流出する方向に電流が誘導される。
【００５１】
この際、整流ダイオードＤ１〜ＤＮがこのような電流の流れに対して逆方向に接続されているため、このような電流は遮断され、１次巻線Ｍ２１〜Ｍ２Ｎに磁気エネルギーとして貯えられる。
【００５２】
その後、スイッチＳがオフされると、１次巻線側Ｍ１１〜Ｍ１Ｎには電流が流れなくなり、電圧が誘起されないが、２次巻線側Ｍ２１〜Ｍ２Ｎでは、スイッチＳがオンされる間に、充電されていた磁気エネルギーが２次巻線Ｍ２１〜Ｍ２Ｎのドットに流入する方向に電流が誘導され、それぞれの２次巻線Ｍ２１〜Ｍ２Ｎに並列接続されたバッテリーセルＢ１〜ＢＮに電荷を充電させる。このような動作中に、整流ダイオードＤ１〜ＤＮは電流の流れに対して正方向に接続されているため、電流の流れを妨害しない。
【００５３】
ここで、バッテリーセルＢ１〜ＢＮに流込する電荷の量を考察すると、２次巻線Ｍ２１〜Ｍ２Ｎに誘起された電圧とバッテリーセルＢ１〜ＢＮの電圧との差に比例し、電圧差が小さい場合には相対的に電圧差が大きい場合より少ない量の電荷が移動する。
【００５４】
その結果、２次巻線Ｍ２１〜Ｍ２Ｎに誘起された電圧とバッテリーセルＢ１〜ＢＮの電圧との差が大きくないバッテリーセルＢ１〜ＢＮは、少量の電荷が流入して少なく充電され、２次巻線Ｍ２１〜Ｍ２Ｎに誘起された電圧とバッテリーセルＢ１〜ＢＮの電圧との差が大きいバッテリーセルＢ１〜ＢＮ（相対的に電圧が低いバッテリーセルＢ１〜ＢＮ）には多量の電荷が流入してバッテリーセルＢ１〜ＢＮを充電するので、充電状態の均等化がなされる。
【００５５】
図３は、本発明の他の実施例に係る多重変圧器の１次巻線を並列接続した電荷均等化装置の構成図である。
【００５６】
図３を参照すると、多重変圧器の１次巻線を並列接続した電荷均等化装置は、バッテリーセルＢ１〜ＢＮに対応する変圧器Ｔ１〜ＴＮがあり、それぞれの変圧器Ｔ１〜ＴＮにはそれぞれコアがあり、それぞれのコアには１次巻線Ｍ１１〜Ｍ１Ｎと２次巻線Ｍ２１〜Ｍ２Ｎが巻かれている。
【００５７】
１次巻線Ｍ１１〜Ｍ１Ｎは互いに同一の巻線数Ｎ１を持つようにすることが好ましいが、応用に応じては相異なる巻線数を持つようにすることができる。そして、１次巻線Ｍ１１〜Ｍ１Ｎの巻線数と２次巻線の巻線数Ｍ２１〜Ｍ２Ｎとの関係を示す巻線比は、全ての変圧器Ｔ１〜ＴＮが同一の巻線比（Ｎ１：Ｎ２）を持つことが好ましいが、応用に応じては相異なる巻線比を持つようにすることができる。
【００５８】
全ての変圧器Ｔ１〜ＴＮの１次巻線Ｍ１１〜Ｍ１Ｎの極性は２次巻線Ｍ２１〜Ｍ２Ｎの極性と同一である。これは、図面において変圧器Ｔ１〜ＴＮのドットが１次巻線Ｍ１１〜Ｍ１Ｎで上方にあると、２次巻線Ｍ２１〜Ｍ２Ｎでも上方にあることを意味する。図３に使われた電荷均等化コンバータは、図２のフライバックコンバータがフォワードコンバータで代替されたことを意味する。
【００５９】
一方、全ての変圧器Ｔ１〜ＴＮの１次巻線Ｍ１１〜Ｍ１Ｎは並列に接続されており、並列接続された全ての変圧器Ｔ１〜ＴＮの１次巻線Ｍ１１〜Ｍ１Ｎの一端にスイッチＳが直列に接続されている。
【００６０】
スイッチＳは、電圧センシングおよびスイッチドライブ信号発生部２００のスイッチ駆動回路部２３０から入力される駆動信号に応じてオン／オフ動作を行う。
【００６１】
一方、２次巻線Ｍ２１〜Ｍ２Ｎは、好ましくは同一の巻線数Ｎ２を持つことができ、応用に応じては相異なる巻線数を持つことができる。
【００６２】
２次巻線側Ｍ２１〜Ｍ２Ｎには第１整流ダイオードＤ１１〜ＤＮ１が直列に接続されており、第２整流ダイオードＤ１２〜ＤＮ２は並列に接続されている。ここで、第１整流ダイオードＤ１１〜ＤＮ１は２次巻線側Ｍ２１〜Ｍ２Ｎで陽の方向に電流が流出するときには電流の流れを妨害しないように接続されており、２次巻線側Ｍ２１〜Ｍ２Ｎの陽の方向に電流が流入するときには電流の流れを妨害するように接続されている。そして、第２整流ダイオードＤ１２〜ＤＮ２は２次巻線側Ｍ２１〜Ｍ２Ｎに並列に接続されており、スイッチＳがオフされるときに２次側電流の自然な流れを誘導する作用をする。第１整流ダイオードＤ１１〜ＤＮ１の陰極と第２整流ダイオードＤ２１〜ＤＮ２の陰極はと互いに接続されている。
【００６３】
バッテリーセルＢ１〜ＢＮは、２次巻線Ｍ２１〜Ｍ２Ｎに並列に接続されており、第１整流ダイオードＤ１１〜ＤＮ１の陰極にインダクタＬ１〜ＬＮを介して接続されている。すなわち、インダクタＬ１〜ＬＮは第１整流ダイオードＤ１〜ＤＮの陰極に一側が接続され、バッテリーセルＢ１〜ＢＮに他側が接続され、第１整流ダイオードＤ１〜ＤＮとバッテリーセルＢ１〜ＢＮとの接続を提供する。
【００６４】
バッテリーセルＢ１〜ＢＮは直列に接続されており、直列接続されたバッテリーセルＢ１〜ＢＮの一端は１次巻線Ｍ２１〜Ｍ２Ｎに並列に接続されている。
【００６５】
ここで、インダクタＬ１〜ＬＮは磁気エネルギーを伝達させる手段として使用され、スイッチＳがオンされるとき、２次巻線Ｍ２１〜Ｍ２Ｎから流出した電流がインダクタを介してそれぞれのバッテリーセルＢ１〜ＢＮに流入し、スイッチＳがオフされるとき、インダクタに残っている磁気エネルギーは同様にそれぞれのバッテリーセルＢ１〜ＢＮに流入する。この際、整流ダイオードＤ１２〜ＤＮ２がオンさせるようになる。
【００６６】
一方、電圧センシングおよびスイッチドライブ信号発生部２００は、センシング部２１０、マイクロプロセッサ２２０およびスイッチ駆動回路部２３０を含んでいる。
【００６７】
センシング部２１０は、それぞれのバッテリーセルＢ１〜ＢＮに並列接続され、それぞれのバッテリーセルＢ１〜ＢＮの電圧をセンシングし、センシングされた電圧を出力する。
【００６８】
マイクロプロセッサ２２０は、予め定められた方式によって、センシング部２１０から入力されたそれぞれのバッテリーセルＢ１〜ＢＮの電圧状態に基づいてスイッチＳのオン／オフ時間を決定する。
【００６９】
この際、マイクロプロセッサ２２０がスイッチＳのオン／オフ時間を決定する方式の一例として、バッテリーセルＢ１〜ＢＮのセンシング電圧の最大と最小を求めた後、その差が一定値以上となる場合、スイッチＳをオンさせることができる。
【００７０】
別の方式では、マイクロプロセッサ２２０はバッテリーセルＢ１〜ＢＮのセンシング電圧が基準値を超える場合にスイッチＳをオンさせることができる。
【００７１】
一方、スイッチ駆動回路部２３０は、マイクロプロセッサ２２０からオン信号が入力されると、それに応えてスイッチＳをオンさせるための駆動信号を生成して出力し、マイクロプロセッサ２２０からオフ信号が入力されると、それに応えてスイッチＳをオフさせるための駆動信号を生成して出力する。
【００７２】
この際、スイッチ駆動回路部２３０が発生する駆動信号はＰＷＭ信号であってもよい。
【００７３】
次に、図３を参照して、本発明の好適な別の実施例に係る電荷均等化装置の動作について説明する。
【００７４】
センシング部２１０は、それぞれのバッテリーセルＢ１〜ＢＮの電圧をセンシングし、センシングされた電圧をマイクロプロセッサ２２０に出力する。
【００７５】
マイクロプロセッサ２２０は、予め定められた方式によって、センシング部２１０から入力されたそれぞれのバッテリーセルＢ１〜ＢＮの電圧状態に基づいてスイッチＳのオンまたはオフを決定し、それによる駆動制御信号をスイッチ駆動回路部２３０に出力する。ここで、マイクロプロセッサ２２０がスイッチＳをオンさせる方法は、一例として直列接続バッテリーセルＢ１〜ＢＮの電位が予め定めた値より高いか或いは高くなるおそれがあると判断される場合がありうる。他の例として直列接続バッテリーセルＢ１〜ＢＮを構成する任意のバッテリーセルＢ１〜ＢＮの電位が予め定めた値より高いか高くなるおそれがあると判断される場合である。前者の場合は直列接続バッテリーセルＢ１〜ＢＮの全体電圧のみをセンシングする場合であって、センシング部２１０の構成が簡単になるが、後者の場合はそれぞれのバッテリーセルＢ１〜ＢＮの電位をセンシングする場合であって、センシング部２１０の構成が複雑になる。
【００７６】
一方、スイッチ駆動回路部２３０は、マイクロプロセッサ２２０からオン信号が入力されると、それに応えてスイッチＳをオンさせるための駆動信号を生成して出力し、マイクロプロセッサ２２０からオフ信号が入力されると、それに応えてスイッチＳをオフさせるための駆動信号を生成して出力する。
【００７７】
スイッチＳがオンされると、全ての変圧器Ｔ１〜ＴＮの１次巻線Ｍ１１〜Ｍ１ＮにバッテリーセルＢ１〜ＢＮによって電流が流れ、これにより対応する２次巻線Ｍ２１〜Ｍ２Ｎに電圧が誘起されて陽の方向に、すなわち２次巻線Ｍ２１〜Ｍ２Ｎのドットから外部に流出する方向に電流が発生する。
【００７８】
この際、第１整流ダイオードＤ１〜ＤＮはこのような電流の流れを妨害しないが、第２整流ダイオードＤ１〜ＤＮは電流の流れを妨害するため、２次巻線Ｍ２１〜Ｍ２Ｎ、第１整流ダイオードＤ１１〜ＤＮ１、インダクタＬ１〜ＬＮおよびバッテリーＢ１〜ＢＮからなる電流ループを形成してバッテリーセルＢ１〜ＢＮに電流が充電される。この際、インダクタＬ１〜ＬＮには磁気エネルギーが充電される。
【００７９】
その後、スイッチＳがオフされると、１次巻線側Ｍ１１〜Ｍ１Ｎでは電流が流れなくなり、よって、第１整流ダイオードＤ１１〜ＤＮ１、インダクタＬ１〜ＬＮおよびバッテリーセルＢ１〜ＢＮからなる電流ループはそれ以上形成されない。
【００８０】
ところが、この際、スイッチＳがオンされる間に、インダクタＬ１〜ＬＮに充電されていた磁気エネルギーがバッテリーセルＢ１〜ＢＮに電荷を充電させる。このような動作中に、第１整流ダイオードＤ１〜ＤＮは電流の流れに対して反対方向に接続されているため、電流の流れを妨害することにより、インダクタＬ１〜ＬＮ、第２整流ダイオードＤ２１〜ＤＮ２およびバッテリーＢ１〜ＢＮからなる電流ループが形成される。
【００８１】
ここで、バッテリーセルＢ１〜ＢＮに流入する電荷の量を考察すると、その量はインダクタＬ１〜ＬＮに貯えられた磁気エネルギーの大きさに比例する。この磁気エネルギーの大きさは、スイッチＳがオンされる間に、２次巻線Ｍ２１〜Ｍ２Ｎに誘起された電圧とバッテリーセルＢ１〜ＢＮの電圧との差によって決定される。具体的に、２次巻線Ｍ２１〜Ｍ２Ｎに誘起された電圧とバッテリーセルＢ１〜ＢＮの電圧との差が大きければ、インダクタＬ１〜ＬＮに大きい磁気エネルギーが貯えられ、電圧の差が小さければ、少ない磁気エネルギーが貯えられる。
【００８２】
その結果、バッテリーセルＢ１〜ＢＮの電圧が低ければ、多量の電荷が充電され、バッテリーセルＢ１〜ＢＮの電圧が高ければ、相対的に少ない量の電荷が流入してバッテリーセルＢ１〜ＢＮを充電するため、充電状態の均等化がなされる。
【００８３】
図４は、本発明の別の実施例に係る多重変圧器の１次巻線を並列接続した電荷均等化装置の構成図である。
【００８４】
図４を参照すると、多重変圧器の１次巻線を並列接続した電荷均等化装置は、バッテリーセルＢ１〜ＢＮに対応する変圧器Ｔ１〜ＴＮがあり、それぞれの変圧器Ｔ１〜ＴＮにはそれぞれコアがあり、それぞれのコアにはそれぞれ１次巻線Ｍ１１〜Ｍ１Ｎと２つの２次巻線Ｍ２１ａ〜Ｍ２Ｎｂが巻かれている。
【００８５】
１次巻線Ｍ１１〜Ｍ１Ｎは、互いに同一の巻線数Ｎ１を持つようにすることが好ましいが、応用に応じては相異なる巻線数を持つようにすることができる。１次巻線Ｍ１１〜Ｍ１Ｎの巻線数と２次巻線Ｍ２１ａ〜Ｍ２Ｎｂの巻線数との関係を見せる巻線比は、全ての変圧器Ｔ１〜ＴＮが同一の巻線比（Ｎ１：Ｎ２）を持つことが好ましいが、応用に応じては相異なる巻線比を持つようにすることができる。
【００８６】
全ての変圧器Ｔ１〜ＴＮの１次巻線Ｍ１１〜Ｍ１Ｎの極性は、２次巻線Ｍ２１ａ〜Ｍ２Ｎｂの極性と同一である。これは、図面において変圧器Ｔ１〜ＴＮのドットが１次巻線Ｍ１１〜Ｍ１Ｎで上方にあると、２次巻線Ｍ２１ａ〜Ｍ２Ｎｂでも上方にあることを意味する。
【００８７】
一方、全ての変圧器Ｔ１〜ＴＮの１次巻線Ｍ１１〜Ｍ１Ｎは並列に接続されており、並列に接続された１次巻線Ｍ１１〜Ｍ１Ｎの一端には第１スイッチＳ１のソース端および第２スイッチＳ２のドレイン端が接続されている。ここで、第１スイッチＳ１と第２スイッチＳ２は直列に接続されており、第１スイッチＳ１のドレイン端は直列接続バッテリーＢ１〜ＢＮの陽極に、第２スイッチＳのソース端は直列接続バッテリーＢ１〜ＢＮの陰極にそれぞれ接続されている。
【００８８】
１次巻線Ｍ１１〜Ｍ１Ｎの他端には第１キャパシタＣ１の陰極と第２キャパシタＣ２の陽極が接続されている。ここで、第１キャパシタＣ１と第２キャパシタＣ２とは直列に接続されており、第１キャパシタＣ１の陽極は直列接続バッテリーＢ１〜ＢＮの陽極に、第２キャパシタＣ２の陰極は直列接続バッテリーＢ１〜ＢＮの陰極にそれぞれ接続されている。
【００８９】
ここで、第１および第２スイッチＳ１、Ｓ２は、電圧センシングおよびスイッチドライブ信号発生部２００のスイッチ駆動回路部２３０から入力される駆動信号に応じてオン／オフ動作を行う。
【００９０】
一方、２次巻線Ｍ２１ａ〜Ｍ２Ｎｂは、好ましくは同一の巻線数Ｎ２を持つことができ
、応用に応じて相異なる巻線数を持つことができる。
２次巻線Ｍ２１ａ〜Ｍ２Ｎｂは一つのコアに２つが巻線されているが、２次巻線の第１巻線Ｍ２１ａ〜Ｍ２Ｎａと第２巻線Ｍ２１ｂ〜Ｍ２ＮｂはバッテリーセルＢ１〜ＢＮにそれぞれ並列に接続されている。
【００９１】
２次巻線Ｍ２１ａ〜Ｍ２Ｎｂの第１巻線Ｍ２１ａ〜Ｍ２Ｎａと第２巻線Ｍ２１ｂ〜Ｍ２Ｎｂには第１または第２整流ダイオードＤ１ａ〜ＤＮｂが直列に接続されている。
【００９２】
第１整流ダイオードＤ１ａ〜ＤＮａは、第１巻線Ｍ２１ａ〜Ｍ２Ｎａとの関係では陽の方向に電流の流出があるときに電流の流れを妨害しないように接続されており、第２巻線Ｍ２１ｂ〜Ｍ２Ｎｂとの関係では陽の方向に電流の流出があるときに電流の流れを遮断するように接続されている。第２整流ダイオードＤ１ｂ〜ＤＮｂは、第１巻線Ｍ２１ａ〜Ｍ２Ｎａとの関係では陽の方向に電流の流出があるときに電流の流れを遮断するように接続されており、第２巻線Ｍ２１ｂ〜Ｍ２Ｎｂとの関係では陽の方向に電流の流出があるときに電流の流れを遮断し、陽の方向に電流の流入があるときに電流の流れを妨害しないように接続されている。
【００９３】
一方、電圧センシングおよびスイッチドライブ信号発生部２００は、センシング部２１０、マイクロプロセッサ２２０およびスイッチ駆動回路部２３０を含んでいる。
【００９４】
センシング部２１０は、それぞれのバッテリーセルＢ１〜ＢＮに並列接続されてそれぞれのバッテリーセルＢ１〜ＢＮの電圧をセンシングし、センシングされた電圧を出力する。
【００９５】
マイクロプロセッサ２２０は、予め定められた方式によって、センシング部２１０から入力されたそれぞれのバッテリーセルＢ１〜ＢＮの電圧状態に基づいて第１および第２スイッチＳ１、Ｓ２のオン／オフ時間を決定する。
【００９６】
この際、マイクロプロセッサ２２０が第１スイッチＳ１、Ｓ２のオン／オフ時間を決定する方式の一例として、バッテリーセルＢ１〜ＢＮのセンシング電圧の最大と最小を求めた後、その差が一定値以上となる場合、第１および第２スイッチＳ１、Ｓ２をオンさせることができる。
【００９７】
別の方式では、マイクロプロセッサ２２０はバッテリーセルＢ１〜ＢＮのセンシング電圧が基準値を超える場合に第１および第２スイッチＳ１、Ｓ２をオンさせることができる。
【００９８】
一方、スイッチ駆動回路部２３０は、マイクロプロセッサ２２０からオン信号が入力されると、それに応えて第１および第２スイッチＳ１、Ｓ２をオンさせるための駆動信号を生成して出力し、マイクロプロセッサ２２０からオフ信号が入力されると、それに応えて第１および第２スイッチＳ１、Ｓ２をオフさせるための駆動信号を生成して出力する。
【００９９】
この際、スイッチ駆動回路部２３０が発生する駆動信号はＰＷＭ信号であってもよい。
【０１００】
次に、図４を参照して、本発明の好適な別の実施例に係る電荷均等化装置の動作について考察する。
【０１０１】
センシング部２１０は、それぞれのバッテリーセルＢ１〜ＢＮの電圧をセンシングし、センシングされた電圧をマイクロプロセッサ２２０に出力する。
【０１０２】
マイクロプロセッサ２２０は、予め定められた方式によって、センシング部２１０から入力されたそれぞれのバッテリーセルＢ１〜ＢＮの電圧状態に基づいて第１または第２スイッチＳ１、Ｓ２のオンまたはオフを決定し、それによる駆動制御信号をスイッチ駆動回路部２３０へ出力する。
【０１０３】
スイッチ駆動回路部２３０は、マイクロプロセッサ２２０からオン信号が入力されると、それに応えて第１または第２スイッチＳ１、Ｓ２をオンさせるための駆動信号を生成して出力し、マイクロプロセッサ２２０からオフ信号が入力されると、それに応えてスイッチＳＷをオフさせるための駆動信号を生成して出力する。
【０１０４】
一方、第１スイッチＳ１がオンされると、全ての変圧器Ｔ１〜ＴＮの１次巻線Ｍ１１〜Ｍ１ＮにバッテリーセルＢ１〜ＢＮによって電流が流れることになり、電圧が印加され、これにより対応する２次巻線Ｍ２１ａ〜Ｍ２Ｎｂの第１巻線Ｍ２１ａ〜Ｍ２Ｎａと第２巻線Ｍ２１ｂ〜Ｍ２Ｎｂに電圧が誘起されて陽の方向に、すなわち２次巻線Ｍ２１ａ〜Ｍ２Ｎｂのドットから外部に流出する方向に電流が発生する。
【０１０５】
この際、第１整流ダイオードＤ１ａ〜ＤＮａはこのような電流の流れを妨害しないが、第２整流ダイオードＤ１ｂ〜ＤＮｂは電流の流れを妨害するため、２次巻線Ｍ２１ａ〜Ｍ２Ｎｂの第１巻線Ｍ２１ａ〜Ｍ２Ｎｂ、第１整流ダイオードＤ１ａ〜ＤＮａおよびバッテリーセルＢ１〜ＢＮからなる電流ループを形成してバッテリーセルＢ１〜ＢＮに電流が充電される。
【０１０６】
その後、第１スイッチＳ１がオフされると、１次巻線側Ｍ１１〜Ｍ１Ｎでは電流が流れなくなり、電圧が誘起されず、２次巻線側Ｍ２１ａ〜Ｍ２Ｎｂでも電流が流れない。
【０１０７】
ここで、第１スイッチＳ１がオンされる間に、バッテリーセルＢ１〜ＢＮに流出する電荷の量を考察すると、２次巻線Ｍ２１ａ〜Ｍ２Ｎｂに誘起された電圧とバッテリーセルＢ１〜ＢＮの電圧との差に比例し、電圧差が小さい場合には相対的に電圧差が大きい場合より少ない電荷が移動する。
【０１０８】
その結果、２次巻線Ｍ２１ａ〜Ｍ２Ｎｂに誘起された電圧とバッテリーセルＢ１〜ＢＮの電圧との差が大きいバッテリーセルＢ１〜ＢＮは少ない電荷が流入して少なく充電され、２次巻線Ｍ２１ａ〜Ｍ２Ｎｂに誘起された電圧とバッテリーセルＢ１〜ＢＮの電圧との差が大きいバッテリーセルＢ１〜ＢＮ（相対的に電圧が低いバッテリーセルＢ１〜ＢＮ）には、多くの電荷が流入してバッテリーセルＢ１〜ＢＮを充電するため、充電状態の均等化がなされる。
【０１０９】
一方、第２スイッチＳ２がオンされると、全ての変圧器Ｔ１〜ＴＮの１次巻線Ｍ１１〜Ｍ１Ｎに、バッテリーセルＢ１〜ＢＮによって電流が第１スイッチＳ１がオンされるときに流れる方向と反対の方向に流れることになり、電圧が印加され、これにより対応する２次巻線Ｍ２１ａ〜Ｍ２Ｎｂの第１巻線Ｍ２１ａ〜Ｍ２Ｎａと第２巻線Ｍ２１ｂ〜Ｍ２ｂに電圧が誘起されて陰の方向に、すなわち外部から２次巻線Ｍ２１ａ〜Ｍ２Ｎｂのドットへ流入する方向に電流が発生する。
【０１１０】
この際、第１整流ダイオードＤ１ａ〜ＤＮａはこのような電流の流れを妨害し、第２整流ダイオードＤ１ｂ〜ＤＮｂは電流の流れを妨害しないため、２次巻線Ｍ２１ａ〜Ｍ２Ｎｂの第２巻線Ｍ２１ｂ〜Ｍ２Ｎｂ、第２整流ダイオードＤ１ｂ〜ＤＮｂおよびバッテリーセルＢ１〜ＢＮからなる電流ループを形成してバッテリーセルＢ１〜ＢＮに電流が充電される。
【０１１１】
その後、第２スイッチＳ２がオフされると、１次巻線側Ｍ１１〜Ｍ１では電流が流れなくなり、電圧が誘起されず、２次巻線側Ｍ２１ａ〜Ｍ２Ｎでも電流が流れない。
【０１１２】
ここで、第２スイッチＳ２がオンされる間に、バッテリーセルＢ１〜ＢＮに流入する電荷の量を考察すると、２次巻線Ｍ２１ａ〜Ｍ２Ｎｂに誘起された電圧とバッテリーセルＢ１〜ＢＮの電圧との差に比例し、電圧差が小さい場合には相対的に電圧差が大きい場合より少ない量の電荷が移動する。
【０１１３】
その結果、２次巻線Ｍ２１ａ〜Ｍ２Ｎｂに誘起された電圧とバッテリーセルＢ１〜ＢＮの電圧との差が大きくないバッテリーセルＢ１〜ＢＮは少ない電荷が流入して少なく充電され、２次巻線Ｍ２１ａ〜Ｍ２Ｎｂに誘起された電圧とバッテリーセルＢ１〜ＢＮの電圧との差が大きいバッテリーセルＢ１〜ＢＮ（相対的に電圧が低いバッテリーセルＢ１〜ＢＮ）には多くの電荷が流入してバッテリーセルＢ１〜ＢＮを充電するため、充電状態の均等化がなされる。
【０１１４】
一方、前述した電荷均等化装置は、直列接続バッテリーセルに電気的充電装置または電気的負荷が接続されていない場合に、直列接続バッテリーセルのそれぞれのバッテリーセルの電位が相異なる場合に行われる。
【０１１５】
ところが、電気的充電装置または電気的負荷が接続されているとしても、変圧器の１次巻線とスイッチが迂回回路として作用するだけ電流収容容量が大きいか、或いは充電電流または放電電流の大きさが小さい場合には、電気的充電装置または電気的負荷が接続された状況でも行われ得る。
【図面の簡単な説明】
【０１１６】
【図１】従来の技術に係る直列接続バッテリーセルの中央集中型電荷均等化装置の構成図である。
【図２】本発明の一実施例に係る多重変圧器の１次巻線を並列接続した電荷均等化装置の構成図である。
【図３】本発明の他の実施例に係る多重変圧器の１次巻線を並列接続した電荷近津装置の構成図である。
【図４】本発明の別の実施例に係る多重変圧器の１次巻線を並列接続した電荷均等化装置の構成図である。
【符号の説明】
【０１１７】
Ｔ１〜ＴＮ：変圧器              
Ｍ１１〜Ｍ１Ｎ：１次巻線
Ｍ２１〜Ｍ２Ｎ、Ｍ２１ａ〜Ｍ２Ｎｂ：２次巻線
Ｓ、Ｓ１、Ｓ２：スイッチ
Ｂ１〜ＢＮ：バッテリーセル      
Ｄ１〜ＤＮ、Ｄ１１〜ＤＮ２：ダイオード
Ｃ１、Ｃ２：キャパシタ          
Ｌ１〜ＬＮ：インダクタ 
【図１】
2009540792.tif 000003
【図２】
2009540792.tif 000004
【図３】
2009540792.tif 000005
【図４】
2009540792.tif 000006
【国際調査報告】
2009540792.tif 000007
2009540792.tif 000008